【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
スペクトラム−拡散通信システムにおける同期型ブロードキャスト伝送方法であって、
送信機に特有の第一拡散符号により第一情報を拡散し、
複数の送信機に共通のブロードキャスト拡散符号によりブロードキャスト情報を拡散することを含む、
同期型ブロードキャスト伝送方法。
【請求項２】
伝送を前記スペクトラム−拡散システムにおける１以上の他の送信機に時刻−同期させることを更に含む、
前記請求項１に記載の同期型ブロードキャスト伝送方法。
【請求項３】
複数のタイムスロットを有する伝送を準備することを更に含み、前記伝送は
複数の符号分割変調スロットと
同期型ブロードキャストスロットとを備える、
前記請求項１に記載の同期型ブロードキャスト伝送方法。
【請求項４】
符号分割変調を使用して前記第一情報を変調し、
直交周波数分割変調を使用して前記ブロードキャスト情報を変調することを更に含み、
なお前記第一情報を変調するステップでは前記第一情報は前記複数の符号分割変調スロットにより伝送され、
前記ブロードキャスト情報を変調するステップでは前記ブロードキャスト情報は前記同期型ブロードキャストスロットにより伝送されるものである、
前記請求項３に記載の同期型ブロードキャスト伝送方法。
【請求項５】
スペクトラム−拡散伝送システムにおける同期型ブロードキャスト伝送用装置であって、
前記送信機に特有の第一拡散符号により第一情報を拡散する第一手段と、
複数の送信機に共通のブロードキャスト拡散符号によりブロードキャスト情報を拡散する第二手段と、を備える同期型ブロードキャスト伝送用装置。
【請求項６】
前記スペクトラム拡散システムにおける１以上の他の送信機に、伝送を時刻−同期化させる手段を更に備える、
前記請求項５に記載の同期型ブロードキャスト伝送用装置。
【請求項７】
複数のタイムスロットを有する伝送を準備する手段を更に備え、前記伝送は
複数の符号分割変調スロットと
同期型ブロードキャストスロットとを備える、
前記請求項５に記載の同期型ブロードキャスト伝送用装置。
【請求項８】
符号分割変調を使用して前記第一情報を変調する第三手段と、
直交周波数分割変調を使用して前記ブロードキャスト情報を変調する第四手段と、を更に備え、
前記第三手段では、前記第一情報は前記複数の符号分割変調スロットにより伝送され、
前記第四手段では、前記ブロードキャスト情報は前記同期型ブロードキャストスロットにより送信される、
前記請求項７に記載の同期型ブロードキャスト伝送用装置。
【請求項９】
第一情報の送信機に特有の第一拡散符号を有する第一情報を受信する手段と、
ブロードキャスト情報の複数送信機に共通のブロードキャスト拡散符号を有する前記ブロードキャスト情報を受信する手段と、を備えるスペクトラム−拡散通信システムの受信機。
【請求項１０】
ユニキャスト伝送用に最適化された第一波形を変調する第一変調器と、
ブロードキャスト伝送用に最適化された第二波形を変調するブロードキャスト変調器と、
前記第一変調器と前記ブロードキャスト変調器のうちの一つを送信されるべき情報のタイプの機能として動作させる変調コントローラと、を備えるアクセスネットワーク装置。
【請求項１１】
前記変調コントローラが、
第一エンコーダと第一インターリーバとを有するユニキャスト伝送処理用の第一パスと、
第二エンコーダと第二インターリーバとを有するブロードキャスト伝送処理用の第二パスと、を備える
前記請求項１０に記載のアクセスネットワーク装置。
【請求項１２】
前記ブロードキャスト変調器は直交周波数分割変調器であり、前記第一変調器は符号分割変調器である、前記請求項１０に記載のアクセスネットワーク装置。
【請求項１３】
ブロードキャスト情報をブロードキャスト変調器に伝送するように構成され、ユニキャスト情報を第一変調器に伝送するように構成された、選択ユニットを更に備える前記請求項１１に記載のアクセスネットワーク装置。
【請求項１４】
タイム−スロットフォーマットでの伝送用に、変調された情報を準備するように構成された伝送ユニットを更に備え、ブロードキャスト情報とユニキャスト情報が１伝送タイムスロットに時分割多重化される、前記請求項１３に記載のアクセスネットワーク装置。
【請求項１５】
前記の１伝送タイムスロットはブロードキャストパイロットを含む、前記請求項１４に記載のアクセスネットワーク装置。
【請求項１６】
ユニキャスト伝送を復調するための第一復調器と、
ブロードキャスト伝送を復調するためのブロードキャスト復調器と、
前記第一変調器と前記ブロードキャスト変調器のうちの一つを受信された情報のタイプについて機能するように動作させる変調コントローラと、を備えるアクセスターミナル装置。
【請求項１７】
受信情報を評価するように適用されたイコライザを更に備える、前記請求項１６に記載のアクセスターミナル装置。
【請求項１８】
ブロードキャストパイロット信号を識別し、前記イコライザを、前記ブロードキャストパイロット信号に基づきトレーニングするように制御するブロードキャストコントローラを更に備える、前記請求項１７に記載のアクセスターミナル装置。
【請求項１９】
前記イコライザはブロードキャスト情報と通信情報のために使用される、前記請求項１８に記載のアクセスターミナル装置。
【請求項２０】
前記ブロードキャストコントローラは前記イコライザを、トラフィック情報用の第一コンフィギュレーションに、又、ブロードキャスト情報用の第二コンフィギュレーションに構成する、前記請求項１９に記載のアクセスターミナル装置。
【請求項２１】
コンフィギュレーションは、前記イコライザと前記フィルタリング係数の調整を実行するために使用されるタップの数に関連する、前記請求項２０に記載のアクセスターミナル装置。
【請求項２２】
受信情報を評価するための第一イコライザと、
受信ブロードキャスト情報を評価するためのブロードキャストイコライザと、
前記第一イコライザと前記ブロードキャストイコライザの動作を受信された伝送に対し機能するように制御するブロードキャストコントローラとを更に備える、
前記請求項１６に記載のアクセスターミナル装置。
【請求項２３】
前記アクセスターミナル装置は、時分割多重フォーワードリンクフォーマットをサポートする、前記請求項１６に記載のアクセスターミナル装置。
【請求項２４】
前記第一復調器は符号分割変調情報を復調するために適用されている、前記請求項１６に記載のアクセスターミナル装置。
【請求項２５】
前記ブロードキャスト復調器は直交周波数分割変調情報を復調するために適用されている、前記請求項２４に記載のアクセスターミナル装置。
【請求項２６】
符号分割変調情報を有する第一部分と、
直交周波数分割変調情報を有する第二部分と、を備える搬送波で伝送される情報信号。
【請求項２７】
前記第二部分は、
ブロードキャストパイロット部分と、
ブロードキャストコンテンツ部分とを備える、
前記請求項２６に記載の伝送される情報信号。
【請求項２８】
第一伝送スロットを受信し、
第一変調フォーマットを使用し変調された同期型ブロードキャストコンテンツと、第二変調フォーマットを使用し変調されたユニキャスト部分とを備えた第一伝送スロットの部分を識別し、
前記ユニキャスト部分を復調し、
前記ブロードキャスト部分を復調することを含み、
前記識別するステップでは、前記第一及び第二変調フォーマットは異なる、同期型ブロードキャストのための方法。
【請求項２９】
ユニキャスト復調用の第一復調器を選択し、
ブロードキャスト復調用の第二復調器を選択することを更に含む、
前記請求項２８に記載の同期型ブロードキャストのための方法。
【請求項３０】
前記第二変調フォーマットは符号分割変調フォーマットである前記請求項２９に記載の同期型ブロードキャストのための方法。
【請求項３１】
前記第一変調フォーマットは直交周波数分割変調フォーマットである前記請求項３０に記載の同期型ブロードキャストのための方法。
【請求項３２】
前記第一変調フォーマットは、複数の送信機により使用されるブロードキャスト拡散符号を有する符号分割変調フォーマットである、前記請求項３０に記載の同期型ブロードキャストのための方法。
【請求項３３】
前記ブロードキャスト部分を復調することは、
前記ブロードキャスト部分をイコライズすることを更に含む、前記請求項３２に記載の同期型ブロードキャストのための方法。
【請求項３４】
前記ブロードキャスト部分を復調することは、
イコライザをブロードキャストパイロットに基づいてトレーニングすることを更に含む、前記請求項３３に記載の同期型ブロードキャストのための方法。
【請求項３５】
第一伝送スロットを受信する手段と、
第一変調フォーマットを使用し変調された同期型ブロードキャストコンテンツと、第二変調フォーマットを使用し変調されたユニキャスト部分とを備えた第一伝送スロットの部分を識別する手段と、
前記ユニキャスト部分を復調する手段と、
前記ブロードキャスト部分を復調する手段とを備え、
前記識別手段では、前記第一及び第二変調フォーマットは異なる、同期型ブロードキャスト用装置。
【請求項３６】
識別する手段は、
ユニキャスト復調用の第一復調器を選択する手段と、
ブロードキャスト復調用の第二復調器を選択する手段とを更に備える、
前記請求項３５に記載の同期型ブロードキャスト用装置。
【請求項３７】
前記第二変調フォーマットは符号分割変調フォーマットである、前記請求項３６に記載の同期型ブロードキャスト用装置。
【請求項３８】
前記第一変調フォーマットは直交周波数分割変調フォーマットである、前記請求項３７に記載の同期型ブロードキャスト用装置。
【請求項３９】
前記第一変調フォーマットは、複数の送信機により使用されるブロードキャスト拡散符号を有する符号分割変調フォーマットである、前記請求項３７に記載の同期型ブロードキャスト用装置。
【請求項４０】
前記ブロードキャスト部分を復調する手段は、
前記ブロードキャスト部分をイコライズする部分を更に備える、前記請求項３９に記載の方法。
【請求項４１】
前記ブロードキャスト部分を復調する手段は、
イコライザをブロードキャストパイロットに基づきトレーニングする手段を更に備える、前記請求項４０に記載の方法。
【請求項４２】
スペクトラム−拡散通信システムにおける同期型ブロードキャスト伝送のための指示を含むコンピュータ可読媒体であって、
前記送信機に特有の第一拡散符号により第一情報を拡散し、
複数の送信機に共通のブロードキャスト拡散符号によりブロードキャスト情報を拡散するための指示を備える、
コンピュータ可読媒体。